(57)【要約】【課題】キッチンで調理などをしているときにテレビを見たいという要求があるが、従来のものでは壁面を凹ませて格納部を作り、その格納部にテレビ受像器を格納していたので、取り付けられるケースが限られるばかりか、テレビ画面を作業者の正面に配置できない場合が多い。【解決手段】キッチンＫに取り付けられた上部収納庫Ｒの底板Ｂに、この底板Ｂより下方に位置してテレビ画像表示部２が垂設されるようにした。【選択図】  図１
2004241919.tif 000002
【特許請求の範囲】
【請求項１】
キッチンに取り付けられた上部収納庫の底板に、この底板より下方に位置してテレビ画像表示部が垂設されるように取り付けられ得ることを特徴とするキッチン用テレビ。
【請求項２】
上記テレビ画像表示部は、テレビ画面側を上方にした略水平状態で格納し得ることを特徴とする請求項１記載のキッチン用テレビ。
【請求項３】
上記テレビ画像表示部は、上記底板に取り付けられた状態で前後方向にスライド自在に保持されていることを特徴とする請求項１または請求項２に記載のキッチン用テレビ。
【請求項４】
上記テレビ画像表示部は、上記底板に取り付けられた状態で左右方向に回動自在であることを特徴とする請求項１から請求項３のいずれかに記載のキッチン用テレビ。
【請求項５】
上記テレビ画像表示部の姿勢および前後位置を固定するロック機構を備えていることを特徴とする請求項１から請求項４のいずれかに記載のキッチン用テレビ。
【請求項６】
上記テレビ画像表示部は給湯装置その他の厨房関連機器のリモコンとしても機能することを特徴とする請求項１から請求項５のいずれかに記載のキッチン用テレビ。
【請求項７】
上記上部収納庫の底板に形成された開口に、テレビ画像表示部を保持する機構を収納し得るように構成したことを特徴とする請求項１から請求項６のいずれかに記載のキッチン用テレビ。
【発明の詳細な説明】
【０００１】
【発明の属する技術分野】
本発明は、キッチンに取り付けられるテレビに関する。
【０００２】
【従来の技術】
家庭でのキッチンで調理などの作業をする際には、周りに人がいないため孤独な作業になる。このような孤独感を緩和するため、キッチンで作業をしながらテレビ画像を見ることができるように、キッチンの壁面の一部を切除して格納スペースを形成し、その格納スペースにテレビ受像器を格納したものが知られている（例えば、特許文献１参照）。
【０００３】
【特許文献１】
特開２００１−２５２１４０号公報（図１）
【０００４】
【発明が解決しようとする課題】
上記従来のものでは、テレビ受像器をキッチンの壁面に形成した格納スペース内に格納している。ところが、一般にキッチンでは上記特許文献１の図１にも示されているように、作業者の立ち位置の正面には窓が形成されている場合が多く、同図に示されているようにテレビ受像器を作業者の正面に配置することができない場合が多い。また、マンション等の集合住宅では、壁はコンクリートで形成されており、テレビ受像器を格納することのできる大きさの格納スペースを形成することはほとんどの場合不可能である。
【０００５】
さらに、いわゆる対面式のキッチンでは、作業者はキッチンの壁面に背を向けて作業することになり、壁面にテレビ受像器を格納したのではテレビ画面を見ながら作業することができない。
【０００６】
そこで本発明は、上記の問題点に鑑み、多くの家庭でキッチンで作業しながら見やすい位置にテレビ画面を位置させることのできるキッチン用テレビを提供することを課題とする。
【０００７】
【課題を解決するための手段】
上記課題を解決するために本発明によるキッチン用テレビは、キッチンに取り付けられた上部収納庫の底板に、この底板より下方に位置してテレビ画像表示部が垂設されるように取り付けられ得ることを特徴とする。
【０００８】
日本の住宅事情ではキッチンに収納スペースを多く確保する要請があるためほとんどのキッチンでは上部収納庫が設置されている。そして、その上部収納庫の底板は作業者の視界を妨げない高さに設定されている。従って、その底板の下方に位置するようにテレビ画像表示部を垂設すれば、作業者はそのテレビ画像表示部を正面で見ることができる。
【０００９】
なお、テレビ画像表示部が視界の邪魔になる場合には、上記テレビ画像表示部は、テレビ画面側を上方にした略水平状態で格納し得るように構成すればよい。なお、キッチンでは油煙が発生しやすいが、格納した際にテレビ画面側を上方にしているとテレビ画面に油煙が付着しにくい。
【００１０】
上記テレビ画像表示部は前後方向にスライド自在に保持されていれば、テレビ画面を見やすい位置に移動させることができる。
【００１１】
また、作業者の立ち位置は必ずしも一定ではないので、作業者の好みに合わせてテレビ画面の左右方向の向きを調節することができるように、上記テレビ画像表示部は左右方向に回動自在であることが望ましい。
【００１２】
なお、テレビ画像表示部の姿勢を調節したあとは、テレビ画像表示部の姿勢が変わらないように、上記テレビ画像表示部の姿勢および前後位置を固定するロック機構を備えていることが望ましい。
【００１３】
上記テレビ画像表示部は給湯装置その他の厨房関連機器のリモコンとしても機能するように構成してもよい。
【００１４】
ところで、上部収納庫の底板にキッチン用テレビを直接取り付けると、テレビ画像表示部以外の部分が露出して見苦しい。その場合には、上記上部収納庫の底板に形成された開口に、テレビ画像表示部を保持する機構を収納し得るように構成すればよい。
【００１５】
【発明の実施の形態】
図１を参照して、１は本発明によるキッチン用のテレビ装置である。このテレビ装置１はキッチンＫの上部収納庫Ｒに取り付けられている。この上部収納庫Ｒの底板Ｂはその下面が外部に露出している。そして、このテレビ装置１に設けられたテレビ画像表示部２は底板Ｂよりも下方に位置するように設定されている。従って、このテレビ画像表示部２はキッチンＫで調理等の作業を行う作業者Ｗの頭部とほぼ同じ高さに位置することになる。そのため、作業者Ｗはこのテレビ画像表示部２を視認しやすく、また容易に手を触れることができる。
【００１６】
図２を参照して、底板Ｂにはテレビ装置１が嵌る大きさの開口Ｈが形成されている。そして、テレビ装置１をこの開口Ｈに上方から嵌め込んでテレビ装置１を底板Ｂに固定する。
【００１７】
テレビ装置１の側面には取り付け用のブラケット１１が取り付けられている。このブラケット１１は断面がＬ字状であり、上下方向に長手の長孔１２が形成されており、その長孔１２に挿通されたボルト１３でブラケット１１がテレビ装置１に取り付けられている。従って、底板Ｂの厚みによってブラケット１１を上下方向にスライドさせ、テレビ装置１の下縁が底板Ｂの下面に一致するように調節してテレビ装置１を底板Ｂに取り付けることができる。
【００１８】
図３を参照して、テレビ画像表示部２は左右方向に回動自在であり、かつ前後方向に進退することができる。また、テレビ画像表示部２が邪魔なときには、テレビ画面側を上方にして、姿勢がほぼ水平になるように格納することができる。
【００１９】
図４を参照して、テレビ装置１内には前後方向に伸びる１対のスライドレール４が架設されている。そして、このスライドレール４に沿って前後方向に往復するスライドベース５が取り付けられている。このスライドベース５の下面には、テレビ画像表示部２を保持するクランプ機構３が取り付けられている。このクランプ機構３は電磁式のアクチュエータ３１によって、テレビ画像表示部２の姿勢を自由に変更し得るフリー状態と、テレビ画像表示部２の姿勢を保持し変更させないロック状態とに切り替えられる。
【００２０】
また、スライドベース５にはブレーキ板６が取り付けられており、同じく電磁式のアクチュエータ６１によって、スライドベース５が前後に自由に移動できるフリー状態と、スライドベース５の移動を禁止するロック状態とに切り替えることができるように構成されている。
【００２１】
クランプ機構３には左右方向に長手の薄板からなるステイ板１５が固定されている。そして、このステイ板１５の前後には各々テレビ装置１との間にスライド式のシャッタ１６が取り付けられている。従って、図３に示すように、テレビ装置１の内部は両シャッタ１６によって外部から遮蔽されている。
【００２２】
なお、スライドベース５の上面にはコネクタ５１が取り付けられており、図示しない制御ユニットに対して可撓性のあるフィルム配線板５２で接続されている。
【００２３】
図５を参照して、クランプ機構３にはスライドベース５に固定される固定片３２とこの固定片３２に対してネジ３４を介して接合される可動片３３とを有している。固定片３２と可動片３３との間にはジョイント球３６が把持されており、このジョイント球３６からはジョイント棒３７が外部に延設されている。
【００２４】
可動片３３が緩められていると、ジョイント球３６は把持されたままの状態で自由に回転することができるので、ジョイント棒３７はジョイント棒３７の中心軸線を中心に回転することができ、かつ前後方向に揺動することができる。
【００２５】
ネジ３４には揺動アーム３５が固定されており、この揺動アーム３５の先端にはアクチュエータ３１のロッド３１ａが連結されている。従って、このロッド３１ａが前進すると、揺動アーム３５が揺動されネジ３４が回転し、可動片３３は固定片３２に向かって締め付けられる。すると、把持されているジョイント球３６は固定片３２と可動片３３とできつく把持されるので、ジョイント棒３７はそのときの状態でロックされ自由に動けなくなる。
【００２６】
図６を参照して、スライドベース５には別体のブレーキ板６が、ネジ６２を介して取り付けられている。このネジ６２には揺動アーム６３が固定されており、揺動アーム６３の先端にはアクチュエータ６１のロッド６１ａが連結されている。
【００２７】
従って、ロッド６１ａが繰り出されている状態ではスライドベース５は自由に前後方法に移動することができるが、ロッド６１ａを引き込むとブレーキ板６がスライドベース５側に締め付けられ、スライドレール４をスライドベース５とブレーキ板６とできつく挟むことになる。このため、スライドベース５はその位置でロックされ、前後方向に移動できない状態になる。
【００２８】
図７を参照して、テレビ画像表示部２の背面にはタッチセンサ用の電極２５が取り付けられている。そして、この電極２５を作業者Ｗがさわると、図外の制御ユニットは両アクチュエータ３１，６１を制御して、クランプ機構３をフリー状態にすると共に、ブレーキ板６を緩める。すると、テレビ画像表示部２は把持した作業者Ｗの手によって、前後方向への移動、左右方向への回動、さらに前後方向への揺動のいずれの移動もスムーズに行うことができる。
【００２９】
作業者Ｗがテレビ画像表示部２の姿勢を調節し、所望する姿勢になった状態で手を離すと、電極２５から手が離れるので、制御ユニットはただちに両アクチュエータ３１，６１を制御して、クランプ機構３とブレーキ板６とをロック状態に切り替える。すると、テレビ画像表示部２はいずれの方向にも移動できない状態になる。なお、２４は通信ケーブルであり、テレビ画像表示部２に画像信号を送信し、あるいはテレビ画像表示部２から制御ユニットに各種信号を送信するためのものである。
【００３０】
図８を参照して、テレビ画像表示部２の前面にはテレビ画面部２１が形成されている。そして、このテレビ画面部２１の下方にはテレビ装置を操作する各種スイッチ２２が取り付けられている。なお、２３はスピーカである。スイッチ２２のうち、電源スイッチを押し、その後選局スイッチやボリュームスイッチを操作して作業者Ｗが所望する画像をテレビ画像部２１に表示させる。
【００３１】
ところで、このテレビ画像表示部２は、例えば給湯装置のリモコンの機能も備えており、スイッチ２２のうちの切替スイッチを押すと、リモコン操作を行うのに必要な表示（アイコン）がテレビ画面部２１に表示される。テレビ画面部２１の表面には透明なタッチセンサが貼付されており、作業者Ｗはテレビ画像部２１に表示されているアイコンをタッチすることにより給湯装置の制御を行うことができる。
【００３２】
なお、このときは電極２５に手が触れられていないので、テレビ画像表示部２の姿勢はロックされており、従って、テレビ画面部２１を多少強い力で押してもテレビ画像表示部２の姿勢が変わることはない。
【００３３】
そして、テレビ画像表示部２の使用が終了して格納する際には、テレビ画像表示部２を下方からつかみ、電極２５に手を触れさせてロックを解除する。そして、テレビ画像表示部２を後方端までスライドさせた状態で、テレビ画像表示部２を前方へ跳ね上げる。この状態ではテレビ画面部２１は上方を向いている。そしてその状態で電極２５から手を離せば、テレビ画像表示部２はその格納されたままの状態を保持する。そして、再度画像表示部２を使用する際には電極２５に触れてロックを解除すればよい。
【００３４】
なお、上記実施の形態ではロックおよびその解除を電極２５を用いたタッチセンサで行ったが、マイクロスイッチをテレビ画像表示部２の背面に取り付けて行ってもよい。また、上記実施の形態では、テレビ画像表示部２を用いて給湯装置の制御を行ったが、ガスレンジその他の厨房関連機器の制御も行うようにしてもよい。さらに、テレビ画像表示部２にマイクを取り付け、音声認識機能を付加してもよい。
【００３５】
【発明の効果】
以上の説明から明らかなように、本発明は、キッチンの上部収納庫の底板にテレビ画像表示部を垂設できるようにしたので、ほとんどのキッチンにテレビ装置を取り付けることができ、また、取り付けられたテレビ画面を見やすい位置にセットすることを容易に行うことができる。
【図面の簡単な説明】
【図１】本発明の一実施の形態の構成を示す図
【図２】テレビ装置の取り付け状態を示す図
【図３】取り付け状態のテレビ装置を斜め下方から見た図
【図４】テレビ装置の部分断面図
【図５】クランプ部の斜視図
【図６】スライドベース近傍を示す斜視図
【図７】テレビ画像表示部の背面図
【図８】テレビ画像表示部の正面図
【符号の説明】
１  テレビ装置
２  テレビ画像表示部
３  クランプ部
４  スライドレール
５  スライドベース
６  ブレーキ板
【図１】
2004241919.tif 000003
【図２】
2004241919.tif 000004
【図３】
2004241919.tif 000005
【図４】
2004241919.tif 000006
【図５】
2004241919.tif 000007
【図６】
2004241919.tif 000008
【図７】
2004241919.tif 000009
【図８】
2004241919.tif 000010